【手続補正書】
【提出日】平成16年1月19日(2004.1.19)
【手続補正１】
【補正対象書類名】明細書
【補正対象項目名】特許請求の範囲
【補正方法】変更
【補正の内容】
【特許請求の範囲】
【請求項１】
（１）(1-1)ポリエチレングリコール基、ポリオキシメチレン基、糖含有基、アミド基、カルボキシル基、スルホン基、燐酸基、亜燐酸基、アミノ基，アンモニウム基、アミノ酸含有基及び燐酸アンモニウム含有基からなる群から選ばれる親水性構造部分を有する重合性ビニル系モノマーおよび／またはオリゴマー（ａ）、
(1-2)親水性構造部分を有しない多官能のモノマーおよび／またはオリゴマー（ｂ）、
(1-3)前記モノマーおよび／またはオリゴマー（ａ）を溶解させ、かつ該モノマーおよび／またはオリゴマー（ａ）と前記多官能のモノマーおよび／またはオリゴマー（ｂ）とを架橋重合させてなる架橋ポリマー（Ａ）をゲル化させる溶剤（Ｂ）
および
(1-4)ポリスルホン系ポリマー、アミド系ポリマー、イミド系ポリマー、スチレン系ポリマーおよびセルロース系ポリマーから成る群から選ばれる１種以上の非架橋ポリマー（Ｄ）であって、(1-4-1)前記溶剤（Ｂ）に溶解し、かつ、(1-4-2)前記溶剤（Ｂ）と相溶する凝固液（Ｃ）であって、前記架橋ポリマー（Ａ）をゲル化させない凝固液（Ｃ）には溶解しない非架橋ポリマー（Ｄ）を必須成分として含有する重合性溶液（Ｉ）を賦形した後、
（２）架橋重合させて架橋ポリマー（Ａ）のゲル状成形物となし、
次いで、
（３）前記凝固液（Ｃ）と接触させて該ゲル状成形物を凝固させると共に多孔質化させる
ことを特徴とする水との接触角が５５度以下の多孔質体の製造方法。
【請求項２】
親水性構造部分を有する重合性ビニル系モノマーおよび／またはオリゴマー（ａ）が、（メタ）アクリル系モノマーおよび／またはオリゴマーである請求項１記載の製造方法。
【請求項３】
親水性構造部分を有する重合性ビニル系モノマーおよび／またはオリゴマー（ａ）が、分子中にアミノ酸骨格を有する（メタ）アクリル系モノマーおよび／またはオリゴマーである請求項２記載の製造方法。
【請求項４】
親水性構造部分を有する重合性ビニル系モノマーおよび／またはオリゴマー（ａ）が、分子中に糖骨格を有する（メタ）アクリル系モノマーおよび／またはオリゴマーである請求項２記載の製造方法。
【請求項５】
重合性溶液（Ｉ）を賦形した後、エネルギー線照射により架橋重合させる請求項１〜４のいずれか１項に記載の製造方法。
【請求項６】
凝固液（Ｃ）が、水または水溶液である請求項１〜５のいずれか１項に記載の製造方法。
【請求項７】
架橋ポリマー（Ａ）と非架橋ポリマー（Ｄ）とのセミＩＰＮ型ポリマーアロイからなる多孔質体であって、前記多孔質体が、
（１）(1-1)ポリエチレングリコール基、ポリオキシメチレン基、糖含有基、アミド基、カルボキシル基、スルホン基、燐酸基，亜燐酸基、アミノ基、アンモニウム基、アミノ酸含有基及び燐酸アンモニウム含有基からなる群から選ばれる親水性構造部分を有する重合性ビニル系モノマーおよび／またはオリゴマー（ａ）、
(1-2)親水性構造部分を有しない多官能のモノマーおよび／またはオリゴマー、
(1-3)前記モノマーおよび／またはオリゴマー（ａ）を溶解させ、かつ、該モノマーおよび／またはオリゴマー（ａ）と前記多官能のモノマーおよび／またはオリゴマー（ｂ）とを架橋重合させてなる架橋ポリマー（Ａ）をゲル化させる溶剤（Ｂ）
および
(1-4)ポリスルホン系ポリマー、アミド系ポリマー、イミド系ポリマー、スチレン系ポリマーおよびセルロース系ポリマーから成る群から選ばれる１種以上の非架橋ポリマー（Ｄ）であって、(1-4-1)前記溶剤（Ｂ）に溶解し、かつ、(1-4-2)前記溶剤（Ｂ）と相溶する凝固液（Ｃ）であって、架橋ポリマー（Ａ）をゲル化させない凝固液（Ｃ）には溶解しない非架橋ポリマー（Ｄ）
を必須成分として含有する重合性溶液（Ｉ）を賦形した後、
（２）架橋重合させて架橋ポリマー（Ａ）のゲル状成形物となし、
次いで、
（３）前記凝固液（Ｃ）と接触させて該ゲル状成形物を凝固させると共に多孔質化させることによって得られる
多孔質体であって、水との接触角が５５度以下であることを特徴とする多孔質体。
【手続補正２】
【補正対象書類名】明細書
【補正対象項目名】００１２
【補正方法】変更
【補正の内容】
【００１２】
（Ｉ）（１）(1-1)ポリエチレングリコール基、ポリオキシメチレン基、糖含有基、アミド基、カルボキシル基、スルホン基、燐酸基，亜燐酸基、アミノ基、アンモニウム基、アミノ酸含有基及び燐酸アンモニウム含有基からなる群から選ばれる親水性構造部分を有する重合性ビニル系モノマーおよび／またはオリゴマー（ａ）、
(1-2)親水性構造部分を有しない多官能のモノマーおよび／またはオリゴマー（ｂ）、
(1-3)前記モノマーおよび／またはオリゴマー（ａ）を溶解させ、かつ該モノマーおよび／またはオリゴマー（ａ）と前記多官能のモノマーおよび／またはオリゴマー（ｂ）とを架橋重合させてなる架橋ポリマー（Ａ）をゲル化させる溶剤（Ｂ）
および
(1-4)ポリスルホン系ポリマー、アミド系ポリマー、イミド系ポリマー、スチレン系ポリマーおよびセルロース系ポリマーから成る群から選ばれる１種以上の非架橋ポリマー（Ｄ）であって、(1-4-1)前記溶剤（Ｂ）に溶解し、かつ、(1-4-2)前記溶剤（Ｂ）と相溶する凝固液（Ｃ）であって、前記架橋ポリマー（Ａ）をゲル化させない凝固液（Ｃ）には溶解しない非架橋ポリマー（Ｄ）を必須成分として含有する重合性溶液（Ｉ）を賦形した後、
（２）架橋重合させて架橋ポリマー（Ａ）のゲル状成形物となし、
次いで、
（３）前記凝固液（Ｃ）と接触させて該ゲル状成形物を凝固させると共に多孔質化させる
ことを特徴とする水との接触角が５５度以下の多孔質体の製造方法、


【手続補正３】
【補正対象書類名】明細書
【補正対象項目名】００１３
【補正方法】変更
【補正の内容】
【００１３】
（II）  親水性構造部分を有する重合性ビニル系モノマーおよび／またはオリゴマー（ａ）が、（メタ）アクリル系モノマーおよび／またはオリゴマーである上記（Ｉ）記載の製造方法、


【手続補正４】
【補正対象書類名】明細書
【補正対象項目名】００１４
【補正方法】変更
【補正の内容】
【００１４】
（III）  親水性構造部分を有する重合性ビニル系モノマーおよび／またはオリゴマー（ａ）が、分子中にアミノ酸骨格を有する（メタ）アクリル系モノマーおよび／またはオリゴマーである上記（II）記載の製造方法、


【手続補正５】
【補正対象書類名】明細書
【補正対象項目名】００１５
【補正方法】変更
【補正の内容】
【００１５】
（IV）  親水性構造部分を有する重合性ビニル系モノマーおよび／またはオリゴマー（ａ）が、分子中に糖骨格を有する（メタ）アクリル系モノマーおよび／またはオリゴマーである上記（II）記載の製造方法、


【手続補正６】
【補正対象書類名】明細書
【補正対象項目名】００１６
【補正方法】変更
【補正の内容】
【００１６】
（Ｖ）  重合性溶液（Ｉ）を賦形した後、エネルギー線照射により架橋重合させる上記（Ｉ）、（II）、（III）または（IV）記載の製造方法、


【手続補正７】
【補正対象書類名】明細書
【補正対象項目名】００１７
【補正方法】変更
【補正の内容】
【００１７】
（VI）  凝固液（Ｃ）が、水または水溶液である上記（Ｉ）〜（Ｖ）のいずれかに記載の製造方法、


【手続補正８】
【補正対象書類名】明細書
【補正対象項目名】００１８
【補正方法】変更
【補正の内容】
【００１８】
（VII）  架橋ポリマー（Ａ）と非架橋ポリマー（Ｄ）とのセミＩＰＮ型ポリマーアロイからなる多孔質体であって、前記多孔質体が、
（１）(1-1)ポリエチレングリコール基、ポリオキシメチレン基、糖含有基、アミド基、カルボキシル基、スルホン基、燐酸基，亜燐酸基、アミノ基、アンモニウム基、アミノ酸含有基及び燐酸アンモニウム含有基からなる群から選ばれる親水性構造部分を有する重合性ビニル系モノマーおよび／またはオリゴマー（ａ）、
(1-2)親水性構造部分を有しない多官能のモノマーおよび／またはオリゴマー、
(1-3)前記モノマーおよび／またはオリゴマー（ａ）を溶解させ、かつ、該モノマーおよび／またはオリゴマー（ａ）と前記多官能のモノマーおよび／またはオリゴマー（ｂ）とを架橋重合させてなる架橋ポリマー（Ａ）をゲル化させる溶剤（Ｂ）
および
(1-4)ポリスルホン系ポリマー、アミド系ポリマー、イミド系ポリマー、スチレン系ポリマーおよびセルロース系ポリマーから成る群から選ばれる１種以上の非架橋ポリマー（Ｄ）であって、(1-4-1)前記溶剤（Ｂ）に溶解し、かつ、(1-4-2)前記溶剤（Ｂ）と相溶する凝固液（Ｃ）であって、架橋ポリマー（Ａ）をゲル化させない凝固液（Ｃ）には溶解しない非架橋ポリマー（Ｄ）
を必須成分として含有する重合性溶液（Ｉ）を賦形した後、
（２）架橋重合させて架橋ポリマー（Ａ）のゲル状成形物となし、
次いで、
（３）前記凝固液（Ｃ）と接触させて該ゲル状成形物を凝固させると共に多孔質化させることによって得られる
多孔質体であって、水との接触角が５５度以下であることを特徴とする多孔質体
を提供する。


【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】